(57)【要約】      （修正有）【課題】縦位置と横位置を切り換えても容易にシャッタ速度の高速化を図ることのできる撮像装置および撮像装置の制御方法を提供する。【解決手段】撮像素子によって被写体像を画像データに変換して出力し（タイミングｔ２）、レリーズ釦２１の全押しがなされると（タイミングｔ３）、画像データ出力領域の縦横に応じて、撮像素子２２１を縦方向または横方向に順次リセットし（タイミングｔ４）、画像データ出力領域の縦横に応じて、撮像素子２２１を縦方向または横方向に順次遮光する（タイミングｔ５）。【選択図】図１２
2010183397.tif 000002
【特許請求の範囲】
【請求項１】
被写体像を画像データとして出力する撮像部と、
上記撮像部の画像データ出力領域の縦横を制御する撮像領域制御部と、
上記画像データ出力領域の縦横に応じて、上記撮像部を縦方向または横方向に順次リセットする撮像部リセット部と、
上記画像データ出力領域の縦横に応じて、上記撮像部を縦方向または横方向に順次遮光する撮像遮光部と、
を有することを特徴とする撮像装置。
【請求項２】
上記撮像部を順次リセットする方向と順次遮光する方向は同一であることを特徴とする請求項１に記載の撮像装置。
【請求項３】
上記画像データ出力領域が長方形の場合、上記撮像部を順次リセットする方向と順次遮光する方向は、上記画像データ出力領域の短辺方向であることを特徴とする請求項１および請求項２に記載の撮像装置。
【請求項４】
上記撮像部を順次リセットするのに要する時間と、上記撮像部を順次遮光するのに要する時間は、略同一であることを特徴とする請求項１ないし請求項３に記載の撮像装置。
【請求項５】
上記撮像リセット部は、撮像開始前に上記撮像部を順次リセットし、上記撮像遮光部は、撮像終了直前に上記撮像部を順次遮光することを特徴とする請求項１ないし請求項４に記載の撮像装置。
【請求項６】
被写体像を画像データとして出力する撮像部と、
設定された縦横位置に応じて、上記撮像部の画像データ出力領域を制御する撮像領域制御部と、
上記撮像部に被写体光束の開閉を制御するために、第１の方向に走査または走行する第１シャッタ部と、第２の方向に走査または走行する第２シャッタ部を有するシャッタ部と、
上記設定された縦横位置に応じて、上記第１シャッタ部および上記第２シャッタ部のいずれかを制御するシャッタ選択部と、
を有することを特徴とする撮像装置。
【請求項７】
上記シャッタ選択部は、上記設定された縦横位置に応じて、上記画像データ出力領域の短辺側に沿って走査または走行することを特徴とする請求項６に記載の撮像装置。
【請求項８】
さらに、上記設定された縦横位置に応じて、シャッタが全開となる範囲内において、フラッシュ発光信号を出力する発光信号生成部を有することを特徴とする請求項６に記載の撮像装置。
【請求項９】
撮像部によって被写体像を画像データとして出力し、
上記画像データ出力領域の縦横に応じて、上記撮像部を縦方向または横方向に順次リセットし、
上記画像データ出力領域の縦横に応じて、上記撮像部を縦方向または横方向に順次遮光する、
ことを特徴とする撮像装置の制御方法。
【請求項１０】
撮像部によって被写体像を画像データとして出力し、
設定された縦横位置に応じて、画像データ出力領域を制御し、
上記設定された縦横位置に応じて、第１の方向に走査または走行する第１シャッタ部および第２の方向に走査または走行する上記第２シャッタ部のいずれかを選択して制御する、
ことを特徴とする撮像装置の制御方法。
【発明の詳細な説明】
【技術分野】
【０００１】
本発明は、撮像装置および撮像装置の制御方法に関し、詳しくは、縦横位置を切り換え可能な撮像装置および撮像装置の制御方法に関する。
【背景技術】
【０００２】
撮影者は被写体を狙って縦位置や横位置の構図を適宜選択して撮影している。横位置で構えている状態で縦位置に構え直したり、逆に縦位置で構えている状態で横位置に構え直す場合があり、このような場合、撮像装置の構え直すことが煩わしかった。また、構え直している間にシャッタチャンスを逃す場合もあった。
【０００３】
そこで、特許文献１には、グリップ部に対して撮像面支持手段が撮影光軸を中心として回転しうるようにしたカメラが開示されている。このカメラによれば、カメラを持ち変えたり、構図をやり直す必要がないことから、構図変更を迅速に行うことができ、シャッタチャンスを逃すことがない。
【先行技術文献】
【特許文献】
【０００４】
【特許文献１】特開平５−３４８０７号公報
【発明の概要】
【発明が解決しようとする課題】
【０００５】
このように、撮像装置本体の構えを変えずに撮影面の縦位置と横位置を切り換えられると便利になる。この縦位置と横位置の切り換え方法として、特許文献１に記載のようにフィルムケースの切り換え以外にも、撮像素子の画素の読み出し位置や、また読み出された画像データからトリミング（切り出し）を行う方法がある。この方法は、特許文献１に開示されたカメラのように機械的にフィルムケースを回転させる必要がないことから、構成が簡単になると共に小型化することができる。
【０００６】
しかし、縦位置と横位置では、シャッタの走行時間に相違があり、走行距離が長い位置に合わせると、シャッタ速度の高速化を図ることが困難である。
【０００７】
本発明は、このような事情を鑑みてなされたものであり、縦位置と横位置を切り換えても容易にシャッタ速度の高速化を図ることのできる撮像装置および撮像装置の制御方法を提供することを目的とする。
【課題を解決するための手段】
【０００８】
上記目的を達成するため第１の発明に係わる撮像装置は、被写体像を画像データとして出力する撮像部と、上記撮像部の画像データ出力領域の縦横を制御する撮像領域制御部と、上記画像データ出力領域の縦横に応じて、上記撮像部を縦方向または横方向に順次リセットする撮像部リセット部と、上記画像データ出力領域の縦横に応じて、上記撮像部を縦方向または横方向に順次遮光する撮像遮光部と、を有する。
【０００９】
第２の発明に係わる撮像装置は、上記第１の発明において、上記撮像部を順次リセットする方向と順次遮光する方向は同一である。
第３の発明に係わる撮像装置は、上記第１および第２の発明において、上記画像データ出力領域が長方形の場合、上記撮像部を順次リセットする方向と順次遮光する方向は、上記画像データ出力領域の短辺方向である。
【００１０】
第４の発明に係わる撮像装置は、上記第１ないし第３の発明において、上記撮像部を順次リセットするのに要する時間と、上記撮像部を順次遮光するのに要する時間は、略同一である。
第５の発明に係わる撮像装置は、上記第１ないし第４の発明において、上記撮像リセット部は、撮像開始前に上記撮像部を順次リセットし、上記撮像遮光部は、撮像終了直前に上記撮像部を順次遮光する。
【００１１】
第６の発明に係わる撮像装置は、被写体像を画像データとして出力する撮像部と、設定された縦横位置に応じて、上記撮像部の画像データ出力領域を制御する撮像領域制御部と、上記撮像部に被写体光束の開閉を制御するために、第１の方向に走査または走行する第１シャッタ部と、第２の方向に走査または走行する第２シャッタ部を有するシャッタ部と、上記設定された縦横位置に応じて、上記第１シャッタ部および上記第２シャッタ部のいずれかを制御するシャッタ選択部と、を有する。
【００１２】
第７の発明に係わる撮像装置は、上記第６の発明において、上記シャッタ選択部は、上記設定された縦横位置に応じて、上記画像データ出力領域の短辺側に沿って走査または走行する。
第８の発明に係わる撮像装置は、上記第６の発明において、さらに、上記設定された縦横位置に応じて、シャッタが全開となる範囲内において、フラッシュ発光信号を出力する発光信号生成部を有する。
【００１３】
第９の発明に係わる撮像装置の制御方法は、撮像部によって被写体像を画像データとして出力し、上記画像データ出力領域の縦横に応じて、上記撮像部を縦方向または横方向に順次リセットし、上記画像データ出力領域の縦横に応じて、上記撮像部を縦方向または横方向に順次遮光する。
【００１４】
第１０の発明に係わる撮像装置の制御方法は、撮像部によって被写体像を画像データとして出力し、設定された縦横位置に応じて、画像データ出力領域を制御し、上記設定された縦横位置に応じて、第１の方向に走査または走行する第１シャッタ部および第２の方向に走査または走行する上記第２シャッタ部のいずれかを選択して制御する。
【発明の効果】
【００１５】
本発明によれば、縦位置と横位置を切り換えても容易にシャッタ速度の高速化を図ることのできる撮像装置および撮像装置の制御方法を提供することができる。
【図面の簡単な説明】
【００１６】
【図１】本発明の一実施形態に係わるデジタル一眼レフレックスカメラの正面側からみた外観斜視図である。
【図２】本発明の一実施形態に係るデジタル一眼レフレックスカメラの背面側から見た外観斜視図である。
【図３】本発明の一実施形態に係わるデジタル一眼レフレックスカメラにおいて電気回路を示すブロック図である。
【図４】本発明の一実施形態に係わるデジタル一眼レフレックスカメラにおいて撮像素子のイメージサークルと縦横位置およびアスペクト比を示す図である。
【図５】本発明の一実施形態に係わるデジタル一眼レフレックスカメラにおいて撮像素子と撮像素子駆動回路の構成を示す図である。
【図６】本発明の一実施形態に係わるデジタル一眼レフレックスカメラにおいて撮像素子の内部を示すブロック図である。
【図７】本発明の一実施形態に係わるデジタル一眼レフレックスカメラにおいて撮像素子に印加するリセット信号Ａおよびリセット信号Ｂのタイミングを示す図であり、（ａ）はカメラ本体の長手方向（水平方向）に第２遮光部を走行させる場合であり、（ｂ）は長手方向に直交する方向（垂直方向）に第１遮光部２１３ａを走行させる場合のタイミングチャートである。
【図８】本発明の一実施形態に係わるデジタル一眼レフレックスカメラにおいてシャッタの構成を示す図である。
【図９】本発明の一実施形態に係わるデジタル一眼レフレックスカメラにおいてシャッタの第１および第２の遮光部の構成を示す図であり、（ａ）は第１遮光部が走行した状態を示し、（ｂ）は第２遮光部が走行した状態を示し、（ｃ）は遮光状態においてシャッタを上から見た図である。
【図１０】本発明の一実施形態におけるデジタル一眼レフレックスカメラにおいて、パワーオンリセットの動作を示すフローチャートである。
【図１１】本発明の一実施形態におけるデジタル一眼レフレックスカメラにおいて、撮影動作を示すフローチャートである。
【図１２】本発明の一実施形態におけるデジタル一眼レフレックスカメラにおいて撮影時のタイミングチャートである。
【図１３】本発明の一実施形態におけるデジタル一眼レフレックスカメラにおいて、設定変更の動作を説明する図であり、（ａ）は設定変更のフローチャートであり、（ｂ）は縦横位置およびアスペクト比の関係を示す図である。
【発明を実施するための形態】
【００１７】
以下、図面に従って本発明を適用したデジタルカメラを用いて好ましい一実施形態について説明する。図１は、本発明の一実施形態に係わるデジタル一眼レフレックスカメラの正面から見た外観図であり、図２は、このデジタル一眼レフレックスカメラの背面側から見た外観斜視図である。
【００１８】
図１に示すカメラ本体２００の前面の略中央には、交換レンズ１００を装着するためのボディマウント２４が設けてある。このボディマウント２４より少し奥まった位置には、交換レンズ１００と接続し、通信を行うための通信接点３４１が配置されている。また、ボディマウント２４よりカメラ本体２００の内部側はミラーボックスであり、ミラーボックス内には、可動ミラー２０１等が配置されている。
【００１９】
また、カメラ本体２００の正面左側のグリップ部の上部には、レリーズ釦２１が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピント合わせ、被写体輝度の測光等の撮影動作を行い、第２レリーズスイッチ（以下、２Ｒと称する）のオンにより撮像素子２２１（図３参照）の出力に基づいて被写体像の画像データの取り込みを行う露光動作を実行する。
【００２０】
また、カメラ本体２００の正面左側グリップ部には、前ダイアル２２が配置されている。この前ダイアル２２は、時計方向および反時計方向に回転自在であり、その回転方向と回転量が検知され出力される。
【００２１】
カメラ本体２００の上部には、被写体に補助光を照射するための内蔵フラッシュ５０が収納されている。内蔵フラッシュ５０をポップアップ状態とすると、使用状態となり、その発光部は被写体に向けた位置となる。
【００２２】
カメラ本体２００の上面には、コントロールパネル４０が配置されている。このコントロールパネル４０は、液晶等の表示装置であって、撮影にあたっての絞り値やシャッタ速度値等の撮影情報が表示される。
【００２３】
図２に示すように、カメラ本体２００の背面の右上には、後ダイアル２３が配置されている。後ダイアル２３も、前ダイアル２２と同様、時計方向および反時計方向に回転自在であり、その回転方向と回転量が検知され出力される。
【００２４】
後ダイアル２３の下側には、ライブビュー表示釦（以下、ＬＶ表示釦と称す）３１が配置されている。ライブビュー表示は、撮像素子によって取得した画像データに基づいて被写体像観察用に液晶モニタ等の表示装置に被写体像を表示することをいう。このＬＶ表示釦３１を操作することにより、ライブビュー表示モードを設定し、また再度操作するとライブビュー表示モードの解除を行う。
【００２５】
ＬＶ表示釦３１の下側には、十字釦３２が配置されている。この十字釦３２は上側十字釦、下側十字釦、右側十字釦、左側十字釦の４つの釦からなり、背面液晶モニタ３９上にカーソルが表示されている場合に、このカーソルの移動等に用いる。４つの十字釦３２のほぼ中心にＯＫ釦３３が配置されている。このＯＫ釦３３は、十字釦３２によって選択された項目の決定を行うための操作部材である。
【００２６】
十字釦３２の下側には、パワースイッチ３４が配置されている。このパワースイッチ３４は、このカメラのカメラ動作の実行を制御するための操作部材である。すなわち、本実施形態に係わるカメラは、パワースイッチ３４がオン状態の場合に、種々の動作を実行し、オフの場合にはカメラ動作を実行しない。
【００２７】
カメラ本体２００の背面の略中央の上部には、接眼部３８が設けられており、この中に接眼レンズ２０９が配置されている。カメラ本体２００は一眼レフレックスカメラであり、内部には、可動ミラー２０１やペンタプリズム２０７等のファインダ光学系（図３参照）が配置され、このファインダ光学系を通過した被写体光束が、この接眼レンズ２０９より出射する。撮影者は接眼レンズ２０９を介して、光学的に被写体像を観察することができる。
【００２８】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶に限らない。また、本実施形態においては、カメラ本体２００の背面に配置しているが、撮影者が観察できる位置であれば、背面に限られない。
【００２９】
背面ＬＣＤ３９の下側であって、パワースイッチ３４の左側には、メニュー釦３５が配置されている。このメニュー釦３５はメニューモードに設定し、また解除するための操作部材である。メニューモードは、このカメラの種々のモードやその他の設定を行うモードであり、メニューモードに設定されると、背面ＬＣＤ３９にメニュー表示がなされる。撮影者は、このメニュー表示の中から好みのモード等を十字釦３２によって選択し、ＯＫ釦３３によって確定する。
【００３０】
メニュー釦３５の左側には、再生釦３６が配置されている。この再生釦３６は、記録媒体等に記録された画像データを読み出し、この画像データに基づいて被写体像を背面ＬＣＤ３９に再生表示する再生モードを指示する操作部材である。
【００３１】
再生釦３６の左側には、縦横釦３７が配置されている。この縦横釦３７は縦長画像と横長画像のいずれかを選択するための操作部材である。後述するように、本実施形態に係わるカメラの撮像素子２２１は、ほぼ正方形状をしており、この撮像素子によって出力される画像データ中から、縦長画像や横長画像の画像データを選択して表示し、記録媒体に記録する。
【００３２】
次に、本実施形態に係わるデジタル一眼レフカメラの電気回路について、図３に示すブロック図を用いて説明する。このデジタル一眼レフカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００３３】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００３４】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００３５】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００３６】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００３７】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００３８】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、フォーカシングスクリーン２０４上に結像した被写体像の内の任意に部分について、被写体像をファインダ光学系に導くことができる。
【００３９】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００４０】
ペンタプリズム２０７の出射側(図３で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００４１】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図３において破線位置）、ハーフミラー部を覆う位置に回動し、可動ミラー２０１が被写体像観察位置（下降位置）にあるときには、図示する如く可動ミラー２０１に対して開いた位置にある。
【００４２】
この可動ミラー２０１はミラー駆動機構２３９によって駆動されている。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００４３】
可動ミラー２０１の後方には、露光時間制御用のフォーカルプレーンタイプのシャッタ２１３が配置されている。このシャッタ２１３は、後述するように、第１遮光部２１３aと第２遮光部２１３ｂとから構成されている。本実施形態においては、一般的なフォーカルプレーンシャッタにおける先幕に相当するシャッタ幕は省略されており、第１および第２の遮光部はシャッタ後幕に相当する。第１遮光部２１３aはカメラ本体２００の長手方向（水平方向とも称する場合がある）に走行し、第２遮光部２１３ｂは第１遮光部２１３aの走行方向とは直交する方向（垂直方向とも称する場合がある）に走行する。第１遮光部２１３aは第１遮光部駆動機構２３６によって駆動制御され、第２遮光部２１３ｂは第２遮光部駆動機構２３７によって駆動制御される。この第１および第２遮光部２１３a、２１３ｂについては、図８および図９を用いて後述する。
【００４４】
シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００４５】
撮像素子２２１は撮像素子駆動回路２２３に接続され、この撮像素子駆動回路２２３によって、撮像素子２２１から画像信号の読出し等が行われる。撮像素子２２１では画素が略正方形に配置されており、撮像素子駆動回路２２３は、カメラ本体２００の長手方向に沿って読み出すモードと、長手方向とは直交する方向に読み出すモードとを切り換えて使用することができる。撮像素子駆動回路２２３による撮像素子２２１の読み出しについては、図５ないし図７を用いて後述する。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００４６】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００４７】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００４８】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００４９】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００５０】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００５１】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００５２】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００５３】
前述の前処理回路２２５は、ＡＳＩＣ（Application Specific
Integrated Circuit 特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００５４】
コントラストＡＦ回路２５３は、前処理回路２２５から出力される画像信号に基づいて高周波成分を抽出し、この高周波成分に基づくコントラスト情報をボディＣＰＵ２５１に出力する。なお、コントラストＡＦ回路２５３は、高周波成分を抽出するにあたって、画面内の全領域について、抽出可能である。ＡＥ回路２５５は、前処理回路２２５から出力される画像信号に基づいて、被写体輝度に応じた測光情報をボディＣＰＵ２５１に出力する。
【００５５】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００５６】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００５７】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００５８】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。背面ＬＣＤ３９は、図２に示すように、カメラ本体２００の背面に配置されるが、撮影者が観察できる位置であれば、背面に限らないし、また液晶に限らず他の表示装置でも構わない。
【００５９】
シャッタレリーズ釦２１の第1ストローク（半押し）を検出する１Ｒスイッチや、第２ストローク（全押し）を検出する２Ｒスイッチ、ライブビュー表示釦３１の操作によってオンするライブビュー表示スイッチを含む各種スイッチ２６９は、スイッチ検知回路２６８を介してデータバス２５２に接続されている。また、各種スイッチ２６９としては、この他にも、メニュー釦３５に連動するメニュースイッチ、再生釦３６に連動する再生スイッチ、縦横釦３７に連動する縦横スイッチ、パワースイッチ３４等、その他の操作部材に連動する各種スイッチ等を含んでいる。
【００６０】
上述の防塵フィルタ駆動回路２３５、シャッタ駆動機構２３７、位相差ＡＦ処理回路２４３、ミラー駆動機構２３９、光源処理回路２４５、照度処理回路２４７、リモコン受信処理回路２４９、傾き検知回路２２８、シフト機構駆動回路２３１、測光処理回路２１２と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００６１】
レンズＣＰＵ１１１と通信接点３４１を介して接続された通信回路２７３は、データバス２５２に接続され、ボディＣＰＵ２５１等とのデータのやりとりや制御命令の通信を行う。
【００６２】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００６３】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００６４】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００６５】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００６６】
ダイアル検知回路２８９は、前述の前ダイアル２２と後ダイアル２３にそれぞれ接続しており、それぞれのダイアルの回転方向および回転量を検知する。
【００６７】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００６８】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００６９】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００７０】
カメラ本体２００内に配置された内蔵フラッシュ５０は、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００７１】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００７２】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点３１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００７３】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００７４】
次に、本実施形態における縦横とアスペクト比について、図４を用いて説明する。撮像素子２２１の撮像面はほぼ正方形をしており、撮像素子２２１内であって、かつイメージサークル１２０内において、画像が得られる。このときの縦横の比率をアスペクト比という。本実施形態においては、４：３横長、４：３縦長、１６：９横長、１６：９縦長の４つのアスペクト比を採用している。もちろん、これとは異なるアスペクト比を採用しても構わない。図４中、Ｌ１〜Ｌ３は第１遮光部２１３aの走行距離を示しており、１６：９縦長の場合には走行距離Ｌ１、４：３横長の場合には走行距離Ｌ２、１６：９横長の場合には走行距離Ｌ３である。ここで説明したアスペクト比は、後述する図１３（ａ）における設定変更のサブルーチンによって、変更できる。設定されたアスペクト比に基づいて、有効となる画像データ（画像データ出力領域）は、撮像素子駆動回路２２３から出力される画像データの中から、前処理回路２２５や画像処理回路２５７によって、選択される。
【００７５】
次に、シャッタ２１３の構成とその動作について図８および図９を用いて説明する。シャッタ２１３は、前述したように、カメラ本体２００の長手方向（水平方向とも言う）に沿って走行する第２遮光部２１３ｂと、長手方向と直交する方向（垂直方向とも言う）に沿って走行する第１遮光部２１３ａを有する。
【００７６】
第１遮光部２１３ａは、複数のシャッタ幕から構成され、その幕の一側には、図８に示すように、幕を係止するための第１遮光部係止機構２３６ａが配置されている。この第１遮光部係止機構２３６ａに隣接して、第１遮光部２１３ａをチャージするための第１遮光部チャージ機構２３６ｂが配置されている。また、第２遮光部２１３ｂも、複数のシャッタ幕から構成され、その幕の一側には、図８に示すように、幕を係止するための第２遮光部係止機構２３７ａが配置されている。この第２遮光部係止機構２３７ａに隣接して、第２遮光部２１３ｂをチャージするための第２遮光部チャージ機構２３７ｂが配置されている。
【００７７】
第１遮光部係止機構２３６ａを解除して第１遮光部２１３ａを垂直方向に走行させると、図９（ａ）に示すように、各幕の一部が互いに重なりあうようにして展開し、開口部２１３ｃを覆う。第１および第２遮光部２１３ａ、２１３ｂを遮光中に上側からみると、図９（ｃ）に示すように、第２の遮光部２１３ｂが展開している。また、第１遮光部チャージ機構２３６ｂによって第１遮光部２１３ａをチャージすると、図８に示すように、互いに重なり合って、開口部２１３ｃが露呈する。
【００７８】
第２遮光部係止機構２３７ａを解除して第２遮光部２１３ｂを水平方向に走行させると、図９（ｂ）に示すように、各幕の一部が互いに重なりあうようにして展開し、開口部２１３ｃを覆う。また、第２遮光部チャージ機構２３７ｂによって第２遮光部２１３ｂをチャージすると、図８に示すように、互いに重なり合って、開口部２１３ｃが露呈する。
【００７９】
次に、図５ないし図７を用いて、撮像素子２２１と撮像素子駆動回路２２３の詳細について説明する。撮像素子２２１には、二次元的に配列された画素を構成するホトダイオードにリセット信号を印加し、光電流の積分を制御するための第１リセット信号発生回路４５１、第２リセット信号発生回路４５３が接続されている。すなわち、カメラ本体２００の長手方向に沿ったホトダイオードにリセット信号Ａを発生するための第１リセット信号発生回路４５１が長手方向と直交する方向に沿って配置されており、この回路内には、リセット端子Ａ１〜Ａｍが設けられている。また、カメラ本体２００の長手方向と直交する方向に沿ったホトダイオードにリセット信号Ｂを発生するための第２リセット信号発生回路４５３が長手方向と直交する方向に沿って配置されており、この回路内には、リセット端子Ｂ１〜Ｂｍが設けられている。
【００８０】
撮像素子２２１内には、図６に示すように、画素を構成するホトダイオードＵ１１〜Ｕ１３、Ｕ２１〜Ｕ２３、Ｕ３１〜Ｕ３３（実際には、もっと多数のホトダイオードが設けられているが、例示的に９個のホトダイオードを示す）が配置されている。ホトダイオードＵ１１〜Ｕ１３、Ｕ２１〜Ｕ２３、Ｕ３１〜Ｕ３３は、それぞれ電荷蓄積用のコンデンサが接続され、また、ベイヤ配列されたＲＧＢのいずれかのフィルタの下に配置されている。また、ホトダイオードＵ１１〜Ｕ１３、Ｕ２１〜Ｕ２３、Ｕ３１〜Ｕ３３の各リセット端子ＲＥＳには、それぞれアンドゲートＱ１１〜Ｑ１３、Ｑ２１〜Ｑ２３、Ｑ３１〜Ｑ３３が接続されている。
【００８１】
これらのホトダイオードＵ１１〜Ｕ１３、Ｕ２１〜Ｕ２３、Ｕ３１〜Ｕ３３は、リセット端子ＲＥＳがＬレベルになると、光電流の電荷蓄積を開始する。各アンドゲートの入力端子の一方は、第１リセット信号発生回路４５１のリセット信号端子Ａ１〜Ａｍに接続されており、各アンドゲートの入力端子の他方は、第２リセット信号発生回路４５３のリセット信号端子Ａ１〜Ａｍに接続されている。
【００８２】
次に、撮像素子２２１および撮像素子駆動回路２２３の電荷蓄積動作について、図７に示すタイミングチャートを用いて説明する。図７（ａ）は、水平方向に第２遮光部２１３ｂを走行させた場合において、ホトダイオードＵ１１〜Ｕ１３、Ｕ２１〜Ｕ２３、Ｕ３１〜Ｕ３３に電荷蓄積を順次、行う場合を示し、図７（ｂ）は、垂直方向に第１遮光部２１３ａを走行させた場合において、ホトダイオードＵ１１〜Ｕ１３、Ｕ２１〜Ｕ２３、Ｕ３１〜Ｕ３３に電荷蓄積を順次、行う場合を示す。
【００８３】
水平方向に第２遮光部２１３ｂを走行させる場合には、図７（ａ）に示すように、第１リセット信号発生回路４５１のリセット端子Ａ１〜Ａｍを順次、ＨレベルからＬレベルに変化させる。一方、第２リセット信号発生回路４５３のリセット端子Ｂ１〜ＢｍはＨレベルのままで変化させない。このようなリセット信号を発生させると、図７（ａ）に示すように、アンドゲートＱ１１、Ｑ１２、Ｑ１３は同時にＨレベルからＬレベルに変化し、その後、アンドゲートＱ２１、Ｑ２２、Ｑ２３は同時にＨレベルからＬレベルに変化し、その後、アンドゲートＱ３１、Ｑ３２、Ｑ３３は同時にＨレベルからＬレベルに変化する。すなわち、水平方向に沿って、ホトダイオードＵ１１〜Ｕ１３、Ｕ２１〜Ｕ２３、Ｕ３１〜Ｕ３３が順次、光電流の電荷蓄積を開始することになる。
【００８４】
垂直方向に第１遮光部２１３ａを走行させる場合には、図７（ｂ）に示すように、第２リセット信号発生回路４５３のリセット端子Ｂ１〜Ｂｍを順次、ＨレベルからＬレベルに変化させる。一方、第１リセット信号発生回路４５１のリセット端子Ａ１〜ＡｍはＨレベルのままで変化させない。このようなリセット信号を発生させると、図７（ｂ）に示すように、アンドゲートＱ１１、Ｑ２１、Ｑ３１は同時にＨレベルからＬレベルに変化し、アンドゲートＱ１２、Ｑ２２、Ｑ３２は同時にＨレベルからＬレベルに変化し、アンドゲートＱ１３、Ｑ２３、Ｑ３３は同時にＨレベルからＬレベルに変化する。すなわち、垂直方向に沿って、ホトダイオードＵ１１〜Ｕ１３、Ｕ２１〜Ｕ２３、Ｕ３１〜Ｕ３３が順次、光電流の電荷蓄積を開始することになる。
【００８５】
次に、本実施形態における動作について、図１０、図１１、および図１３に示すフローチャートおよび図１２に示すタイミングチャートを用いて説明する。
【００８６】
図１０は、カメラ本体２００側のボディＣＰＵ２５１によるパワーオンリセットの動作である。カメラ本体２００にバッテリ２９２が装填され、または外部電源２９３が接続されると、このフローがスタートする。まずカメラ本体２００のパワースイッチ３４がオンであるかを判定する（＃１）。判定の結果、パワースイッチ３４がオフの場合には、低消費電力の状態であるスリープ状態となる（＃３）。
【００８７】
このスリープ状態ではパワースイッチ３４がオンとなった場合のみに割り込み処理を行い、ステップ＃５以下においてパワーオンのための処理を行う。パワースイッチ３４がオンとなるまでは、パワースイッチ割り込み処理以外の動作を停止し、電源電池の消耗を防止する。
【００８８】
ステップ＃１において、パワースイッチ３４がオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００８９】
次に、前ダイアル２２や後ダイアル２３等によって設定された撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００９０】
撮影モード等の読み込みを行うと、次に、ライブビューを行っているか否かの判定を行う（＃１１）。本実施形態に係わるデジタル一眼レフカメラのライブビュー表示は、ＬＶ表示釦３１が一度操作されると、ライブビュー表示モードに設定され、再度操作されると、ライブビュー表示モードが解除される。
【００９１】
ステップ＃１１における判定の結果、ライブビュー表示モードでなかった場合には、すなわち、光学ファインダ表示モードの場合には、ファインダ測光（Ｆ測光）および露出量演算を行う（＃１３）。ライブビュー表示モードでない場合には、可動ミラー２０１は下降状態にあり、撮影光学系１０１を通過した被写体光束をペンタプリズム２０７等のファインダ光学系に反射している。このため、測光素子２１１に被写体光束が入射し、測光を行うことができる。なお、ライブビュー表示モードから光学ファインダ表示モードに切り換わった際には、ステップ＃１３を実行する前に、第１および第２遮光部２１３ａ、２１３ｂを走行させ、開口部２１３ｃを第１または第２遮光部によって覆い、また可動ミラー２０１を下降させる。
【００９２】
ファインダ測光によって測光を行うと、このとき得た被写体輝度に基づいて適正露光を得るための絞り値やシャッタ速度等の露出量の演算を行う。なお、露出量の演算にあたっては、ステップ＃９において設定されていた撮影モードや撮影条件に従って行う。
【００９３】
露出量の演算を行うと、次に、ファインダ表示を行う（＃１５）。ファインダ表示は、ファインダ内表示装置２０６によって行い、設定されている縦横とアスペクト比に応じた撮影範囲や、また演算または手動設定された絞り値やシャッタ速度等の撮影条件が表示される。また、演算された露出量に基づく絞り値やシャッタ速度値、またはこれらの手動設定値は、コントロールパネル４０にも表示される。
【００９４】
続いて、ライブビュー表示の消灯を行う（＃１７）。ライブビュー表示モードから光学ファインダ表示モードに切り替わった際には、ここで、ライブビュー表示の消灯を行う。なお、ライブビュー表示モードが解除され光学ファインダ表示を繰り返し行っている場合には、ライブビュー表示は消灯されているので、このステップをスキップする。
【００９５】
ステップ１１における判定の結果、ライブビュー表示モードに設定されている場合には（図１２のタイミングｔ１）、可動ミラー２０１の退避を行い（＃３１）、シャッタ２１３の第１および第２遮光部２１３ａ、２１３ｂのチャージを行う（＃３３）。ライブビュー表示モードでは、撮像素子２２１からの画像データに基づいて、被写体像を背面ＬＣＤ３９に表示するので、撮像素子２２１上に被写体像が形成されるように、可動ミラー２０１を退避する。シャッタ２１３は所謂、シャッタ後幕に相当する第１および第２遮光部２１３ａ、２１３ｂしか有しておらず、通常状態では、開口部２１３ｃは露呈されていることから、可動ミラー２０１を退避することにより、撮像素子２２１上に被写体像が形成される。但し、露光動作時に第１または第２遮光部２１３ａ、２１３ｂを走行させるために、第１遮光部駆動機構２３６および第２遮光部駆動機構２３７によって、第１遮光部２１３ａおよび第２遮光部２１３ｂのチャージを行う。なお、ライブビュー表示開始後は、このステップ＃３１、＃３３をスキップする。
【００９６】
続いて、イメージャー測光（Ｉ測光）および露出量の演算を行う（＃３５）。ライブビュー表示モードに入ると、可動ミラー２０１は撮影光学系１０１の光路から退避し、測光素子２１１には、被写体光束が入射しない。そこで、撮像素子２２１からの画像データに基づいて、ＡＥ回路２５５によって被写体輝度の測定を行う。
【００９７】
ここで測定された被写体輝度に基づいて、適正露光を得るための絞り値やシャッタ速度等の露出量の演算を行う。なお、露出量の演算にあたっては、ステップ＃１３と同様、ステップ＃９において設定されていた撮影モードや撮影条件に従って行う。また、ここで演算された露出量に基づく絞り値やシャッタ速度値、またはこれらの手動設定値は、背面ＬＣＤ３９やコントロールパネル４０に表示される。
【００９８】
続いて、ライブビュー表示を行う（＃３７、図１２のタイミングｔ２）。ライブビュー表示は、撮像素子２２１からの画像データに基づき、前処理回路２２５や画像処理回路２５７によって、画素数を間引く等の画像処理を行い、被写体像を背面ＬＣＤ３９に動画表示する。撮像素子２２１から画像データの読み出しを行うたびに、被写体像の更新を行う。
【００９９】
ライブビュー表示を行うと、次に、ファインダ表示の消灯を行う（＃３９）。光学ファインダ表示モードからライブビュー表示モードに切り替わった際には、ここで、ファインダ表示の消灯を行う。なお、ライブビュー表示モードに切り替わり、ライブビュー表示を繰り返し行っている場合には、ファインダ表示は消灯されているので、このステップはスキップする。
【０１００】
ステップ＃１７におけるライブビュー表示を消灯すると、またはステップ＃３９におけるファインダ表示を消灯すると、操作部材による操作がなされたか否かの判定を行う（＃１９）。このステップでは、スイッチ検知回路２６８によって、１Ｒスイッチ、設定スイッチ（メニュースイッチ）、再生スイッチ、パワースイッチのいずれかのスイッチが操作されたか否かを判定する。
【０１０１】
ステップ＃１９における判定の結果、操作がなかった場合には、ステップ＃１１に戻り、前述の動作を実行する。一方、判定の結果、操作がなされていた場合には、次に、レリーズ釦２１が半押しされたか否か、すなわち１Ｒスイッチがオンか否かの判定を行う（＃２１）。
【０１０２】
ステップ＃２１における判定の結果、１Ｒスイッチがオンであった場合には（図１２のタイミングｔ３）、撮影準備と撮影を行う撮影動作のサブルーチンを実行する（＃４１）。このサブルーチンの詳細は図１１を用いて後述する。
【０１０３】
ステップ＃２１における判定の結果、１Ｒスイッチがオンでなかった場合、または、ステップ＃４１における撮影動作を実行した場合には、次に、設定スイッチがオンか否かの判定を行う。このステップでは、メニュー釦（設定釦）３５等が操作され、メニューモード（設定モード）に設定されたか否かの判定を行う。
【０１０４】
ステップ＃２３における判定の結果、メニューモード（設定モード）であった場合には、設定変更を行う（＃４３）。この設定変更のサブルーチンでは、アスペクト変更モード等の種々のモード等を設定でき、設定されたメニューに従って種々の処理を行う。このサブルーチンの詳細については、図１３を用いて後述する。
【０１０５】
ステップ＃２３における判定の結果、設定スイッチがオンでなかった場合、または、ステップ＃４３における設定変更のサブルーチンを実行すると、次に、再生スイッチがオンか否かの判定を行う（＃２５）。この判定の結果、再生スイッチがオンであった場合には、再生動作を実行する（＃４５）。再生動作では、記録媒体Ａ２８５または記録媒体Ｂ２８７に記録されている画像データを読み出し、背面ＬＣＤ３９または外部表示装置３３０等に再生表示する。
【０１０６】
ステップ＃２５における判定の結果、再生スイッチがオンでなかった場合、または、ステップ＃４５における再生動作のサブルーチンを実行すると、次に、パワースイッチ３４がオンか否かの判定を行う（＃２７）。この判定の結果、パワースイッチ３４がオンであった場合には、ステップ＃１１に戻り、前述の動作を実行する。
【０１０７】
一方、ステップ＃２７における判定の結果、パワースイッチがオンではなかった場合には、電源供給を停止し（＃２９）、ステップ＃３に戻り、前述のスリープ状態となる。
【０１０８】
次に、ステップ＃４１における撮影動作のサブルーチンについて、図１１に示すフローチャートおよび図１２に示すタイミングチャートを用いて説明する。
【０１０９】
撮影動作のサブルーチンに入ると、まず、ステップ＃１１と同様にライブビュー表示モードか否かの判定を行う（＃５１）。この判定の結果、ライブビュー表示モードでなかった場合には、位相差ＡＦのサブルーチンを実行する（＃５３）。この位相差ＡＦのサブルーチンでは、撮影光学系１０１の周辺を通過した２光束を用いて公知の位相差法に基づいて、撮影光学系１０１の焦点ズレ方向および焦点ズレ量を検出する。そして、この検出された焦点ズレ方向および焦点ズレ量を用いて、撮影光学系１０１を合焦位置に駆動する。
【０１１０】
位相差ＡＦが終わると、次に、ステップ＃１３と同様にファインダ測光および露出量演算を行う（＃５５）。ここで演算された露出量に基づく絞り値やシャッタ速度値、またはこれらの手動設定値は、ファインダ内表示装置２０６やコントロールパネル４０に表示される。
【０１１１】
ステップ＃５１における判定の結果、ライブビュー表示モードであった場合には、イメージャーＡＦのサブルーチンを実行する（＃５７、図１２のタイミングｔ３参照）。ライブビュー表示モードでは、可動ミラー２０１が撮影光学系１０１の光路から退避位置にあり、位相差ＡＦによる測距を行うことができない。そこで、撮像素子２２１からの画像データに基づいて、イメージャーＡＦを行う。このイメージャーＡＦのサブルーチンでは、コントラストＡＦ回路２５３から出力される画像データの高周波成分がピーク値となるように、撮影光学系１０１の駆動制御を行う。
【０１１２】
イメージャーＡＦを行うと、次に、ステップ＃３５と同様にイメージャー測光および露出量演算を行う（＃５９）。ここで演算された露出量に基づく絞り値やシャッタ速度値、またはこれらの手動設定値は、背面ＬＣＤ３９やコントロールパネル４０に表示される。
【０１１３】
ステップ＃５５におけるファインダ測光および露出量演算、またはステップ＃５９におけるイメージャー測光を行うと、次に、レリーズ釦２１が全押しされたか否か、すなわち２Ｒスイッチがオンか否かを判定する（＃６１）。この判定の結果、２Ｒスイッチがオンでなかった場合には、１Ｒスイッチがオンか否かの判定を行う（＃６３）。
【０１１４】
このステップ＃６３における判定の結果、１Ｒスイッチがオンでなければ、レリーズ釦２１から撮影者の指が離れたことから、撮影動作のサブルーチンを終了し、元のフローに戻る。一方、ステップ＃６３における判定の結果、１Ｒスイッチがオンであった場合には、少なくとも撮影者の指がレリーズ釦２１にかかっていることから、ステップ＃６１に戻り、このステップとステップ＃６３を交互に判定する待機状態となる。
【０１１５】
ステップ＃６１における判定の結果、２Ｒスイッチがオンとなると、レリーズ釦２１が全押しされ、露光動作に移る。まず、ステップ＃１１、＃５１と同様に、ライブビュー表示モードか否かの判定を行う（＃６５）。この判定の結果、ライブビュー表示モードでなかった場合には、可動ミラー２０１の退避を行う（＃６７）。ライブビュー表示モードでない場合、すなわち光学ファインダ表示モードの場合には、可動ミラー２０１が下降位置にあるので、撮像素子２２１に被写体光束に導くために、可動ミラー２０１を退避させる。
【０１１６】
可動ミラーの退避を行うと、次に、絞り１０３の絞り込み動作を行う（＃６９）。このステップでは、露出量演算に基づいて求められた絞り値または手動設定された絞り値となるように、レンズＣＰＵ１１１に対して、絞り込み指示を行う。続いて、第１遮光部２１３ａのシャッタチャージを行い（＃７１）、第２遮光部２１３ｂのシャッタチャージを行う（＃７２）。ここでは、第１遮光部チャージ機構２３６ｂ、第２遮光部チャージ機構２３７ｂによって、シャッタ後幕に相当する第１遮光部２１３ａおよび第２遮光部２１３ｂのチャージ動作を行う。
【０１１７】
ステップ＃６５における判定の結果、ライブビュー表示モードであった場合には、ステップ＃６９と同様に絞り込みを行う（＃９１）。ライブビュー表示モードの場合には、可動ミラー２０１は退避位置にあり、シャッタ２１３は開放のままである。露光動作を実行するにあたって、シャッタ２１３の第１遮光部２１３ａ、第２遮光部２１３ｂをチャージする必要があるが、ステップ＃３３においてチャージ動作を行っていることから、ここでは、絞り込みのみを行う。
【０１１８】
ステップ＃７２の第２遮光部のチャージ、またはステップ＃９１の絞り込みを行うと、次に、縦横位置のいずれに設定されているかを判定する（＃７３）。前述のステップ＃７３における設定変更のサブルーチンの中で、縦位置か横位置かの設定がなされていることから、ここでの設定に基づいて判定する。ステップ＃７３における縦横位置の判定が終わると、ステップ＃７４またはステップ＃９３以下において、露光動作を開始する。
【０１１９】
ステップ＃７３における判定の結果、縦位置に設定されていた場合には、第１リセット信号発生回路４５１を駆動し、リセット信号Ａを発生させる（＃７４）。これにより、リセット信号Ａは撮像素子２２１のホトダイオードＵ１１〜Ｕ１３、Ｕ２１〜Ｕ２３、Ｕ３１〜Ｕ３３に対して、図７（ｂ）に示すように、垂直方向に沿って順次印加され、光電流の電荷蓄積を開始する。また、第１リセット信号発生回路の駆動を開始すると、露光時間の計時も開始する（＃７５）。本実施形態においては、撮像素子２２１の全ホトダイオードＵ１１〜Ｕ１３、Ｕ２１〜Ｕ２３、Ｕ３１〜Ｕ３３において、光電流の電荷蓄積を行っているが、実際には、設定されたアスペクト比に応じた走行距離Ｌ１、Ｌ２、Ｌ３（図４参照）の範囲内の画像データが撮影画像となる。
【０１２０】
リセット信号Ａの印加と略同時に開始された露光時間が、ステップ＃５５またはステップ＃５９において演算された露出時間（シャッタ秒時）、または撮影者が手動設定した露出時間（シャッタ秒時）に達すると（図１２のタイミングｔ５）、第１遮光部２１３ａの走行を開始させる（＃７６）。このタイミングで第１遮光部２１３ａを走行させることにより、シャッタ秒時Ｔとなる。このときの第１遮光部２１３ａの走行方向と、第１リセット信号発生回路４５１から出力されるリセット信号Ａの走査方向は同一の方向である。
【０１２１】
なお、内蔵フラッシュ５０または外部フラッシュ３１０によってフラッシュ撮影を行う場合には、シャッタ２１３が全開Ｔｆ期間内に発光する。全開期間Ｔｆは、アスペクト比に応じた走行距離Ｌ１、Ｌ２、Ｌ３を考慮して行い、この期間Ｔｆ内でフラッシュ発光指示用のＸ信号をボディＣＰＵ２５１から内蔵フラッシュ５０または外部フラッシュ３１０に送信する。また、第１遮光部２１３ａの走行速度と、第１リセット信号発生回路４５１から出力されるリセット信号Ａの走査速度は、略同一となるようにする。略同一でないと露光ムラとなるからである。
【０１２２】
ステップ＃７３における判定の結果、横位置に設定されていた場合には、第２リセット信号発生回路４５３を駆動し、リセット信号Ｂを発生させる（＃９４）。これにより、リセット信号Ｂは撮像素子２２１のホトダイオードＵ１１〜Ｕ１３、Ｕ２１〜Ｕ２３、Ｕ３１〜Ｕ３３に対して、図７（ａ）に示すように、水平方向に沿って順次印加され、光電流の電荷蓄積を開始する。また、第２リセット信号発生回路の駆動を開始すると、露光時間の計時も開始する（＃９４）。横位置の場合においても、撮像素子２２１の全ホトダイオードＵ１１〜Ｕ１３、Ｕ２１〜Ｕ２３、Ｕ３１〜Ｕ３３において、光電流の電荷蓄積を行っているが、実際には、設定されたアスペクト比に応じた走行距離の範囲内の画像データが撮影画像となる。
【０１２３】
リセット信号Ｂの印加と略同時に開始された露光時間が、ステップ＃５５またはステップ＃５９において演算された露出時間（シャッタ秒時）、または撮影者が手動設定した露出時間（シャッタ秒時）に達すると（図１２のタイミングｔ５）、第２遮光部２１３ｂの走行を開始させる（＃９５）。このタイミングで第２遮光部２１３ａを走行させることにより、シャッタ秒時Ｔとなる。
【０１２４】
横位置の場合においても、内蔵フラッシュ５０または外部フラッシュ３１０によってフラッシュ撮影を行う場合には、シャッタ２１３が全開Ｔｆ期間内に発光する。全開期間Ｔｆは、アスペクト比に応じた走行距離を考慮して行い、この期間Ｔｆ内でフラッシュ発光指示用のＸ信号を、ボディＣＰＵ２５１から内蔵フラッシュ５０または外部フラッシュ３１０に送信する。また、第２遮光部２１３ｂの走行速度と、第２リセット信号発生回路４５３から出力されるリセット信号Ｂの走査速度は、略同一となるようにする。略同一でないと露光ムラとなるからである。
【０１２５】
ステップ＃７６において第１遮光部２１３ａを走行させ、またはステップ＃９５において第２遮光部２１３ｂを走行させて、露光動作を終了すると、次に、画像の読み出しを行う（＃７７）。このステップでは、撮像素子駆動回路２２３によって、撮像素子２２１から全画素について、画像信号の読み出しを行う。
【０１２６】
続いて、画像処理を行う（＃７８）。すなわち、撮像素子２２１から読み出された画像信号を前処理回路２２５、画像処理回路２５７や圧縮伸張回路２５９等によって種々の画像処理を行う。なお、設定変更のサブルーチン（図１３参照）によって、設定されたアスペクト比に基づく画像データ出力領域の画像データが、前処理回路２２５、画像処理回路２５７等によって選択され、画像処理される。
【０１２７】
画像処理を行うと、次に、画像記録を行う（＃７９）。画像記録は、画像処理された画像データ出力領域の画像データを、記録媒体制御回路２８３によって、記録媒体Ａ２８５または記録媒体Ｂ２８７に記録する。
【０１２８】
画像記録が終わると、次に、ステップ＃６５と同様に、ライブビュー表示モードか否かの判定を行う（＃８０）。この判定の結果、ライブビュー表示モードでなかった場合、すなわち、光学ファインダ表示モードであった場合には、第１遮光部２１３ａを走行させ（＃８１）、第２遮光部２１３ｂを走行させる（＃８２）。光学ファインダ表示モードでは、被写体像は、可動ミラー２０１によって反射された被写体光束によって形成される光学像を観察し、撮像素子２２１による被写体像を観察しないことから、シャッタ２１３の両遮光部２１３ａ、２１３ｂで開口部２１３ｃを閉じておく。なお、ステップ＃７６において第１遮光部２１３ａを走行させた場合には、ステップ＃８１の第１遮光部走行をスキップし、ステップ＃９５において第２遮光部２１３ｂを走行させた場合には、ステップ＃８２の第２遮光部走行をスキップする。
【０１２９】
ステップ＃８１、＃８２において第１および第２遮光部の走行を行うと、次に、可動ミラー２０１の復帰動作を行う（＃８３）。これによって、撮影光学系１０１を通過した被写体光束は可動ミラー２０１によってペンタプリズム２０７側に反射され、光学ファインダ表示が再開される。
【０１３０】
ステップ＃８０における判定の結果、ライブビュー表示モードであった場合には、次に、ステップ＃７３と同様に、縦位置か横位置かの判定を行う（＃９６）。この判定の結果、横位置が設定されていた場合には、第１遮光部２１３ａのチャージを行う（＃９７）。一方、ステップ＃７３における判定の結果、縦位置であった場合には、第２遮光部２１３ｂのチャージを行う（＃９５）。
【０１３１】
ステップ＃８３における可動ミラー２０１の復帰動作を行うと、またはステップ＃９７における第１遮光部２１３ａのチャージを行うと、またはステップ＃９８における第２遮光部２１３ｂのチャージを行うと、元のフローに戻る。なお、ステップ＃７６において第１遮光部２１３ａの走行終了後に第２遮光部２１３ｂを走行させ、ステップ＃９５において第２遮光部２１３ｂの走行終了後に第１遮光部２１３ａを走行させておき、ステップ＃８０における判定の結果、ライブビュー表示モードであった場合には、縦横位置を判定せずに、第１および第２遮光部２１３ａ、２１３ｂの両方をチャージするようにしても良い。
【０１３２】
次に、ステップ＃４３における設定変更のサブルーチンについて、図１３（ａ）に示すフローチャートを用いて説明する。メニューモードにおいて、種々の設定変更を行うことができるが、図１３（ａ）に示すフローチャートは、その一部のみを示している。
【０１３３】
すなわち、図１３（ａ）に示すフローは、上位の設定変更のフローによって、十字釦３２や縦横釦３７等の操作部材の操作によってアスペクト比を変更するモードが選択された場合を示す。
【０１３４】
図１３（ａ）に示す設定変更のフローに入ると、まず、アスペクト変更操作がなされたか否かの判定を行う（＃１０１）。このアスペクト変更操作は、背面ＬＣＤ３９のメニュー画面上において、十字釦３２を操作することによりアスペクト変更を選択し、さらに、ＯＫ釦３３によってこの選択したアスペクト比を決定することにより行う。
【０１３５】
ステップ＃１０１における判定の結果、アスペクト設定変更であった場合には、アスペクト設定変更が行われる（＃１０３）。すなわち、十字釦３２のうちの右側十字釦が操作されるたびに、図１３（ｂ）に示すように、アスペクト比が、４：３、３：２、１６：９と順次、変更される。なお、左側十字釦が操作されると、これとは逆の順番で変更される。
【０１３６】
ステップ＃１０３におけるアスペクト設定変更が終了すると、またはステップ＃１０１における判定の結果、アスペクト変更操作がなされていなかった場合には、次に、縦横位置変更操作がなされたか否かの判定を行う（＃１０５）。このステップでは、縦横釦３７が操作されたか否かを判定する。
【０１３７】
ステップ＃１０５における判定の結果、縦横位置変更操作がなされた場合には、縦横設定変更を行う（＃１０７）。ここでは、図１３（ｂ）に示すように、４：３横長に設定されていた場合には、３：４縦長に設定変更を行う。また、３：２横長に設定されていた場合には、２：３縦長に、１６：９横長に設定されていた場合には、９：１６縦長に設定変更を行う。
【０１３８】
ステップ＃１０７における設定変更を行うと、またはステップ＃１０５における判定の結果、縦横位置変更操作がなされていなかった場合には、元のフローに戻る。
【０１３９】
このように、図１３に示す設定変更のフローにおいては、アスペクト比や縦横位置を変更することができる。縦横位置やアスペクトを変更すると、この設定に応じて、前処理回路２２５や画像処理回路２５７は、撮像素子２２１から読み出された画像データの有効範囲を変更する。このため、再生装置の画面の縦横位置やアスペクト比に応じた画面で撮影することができる。また、被写体にあったフレームで撮影することが可能となる。
【０１４０】
なお、本実施形態においては、アスペクト変更操作は設定画面（メニュー画面）で行い、また縦横位置の変更は縦横釦３７の操作によって行っていた。しかし、これに限らず、両変更共、操作釦を設け、これによって行ってもよく、逆に、操作釦を設けずに両操作共、設定画面（メニュー画面）で設定するようにしても勿論かまわない。また、操作部材によってアスペクト比や縦横を変更する以外にも、例えば、傾きセンサ２２７の検知出力に基づき、カメラ本体２００を振る動作に応じて、変更するようにしても良い。
【０１４１】
以上説明したように、本実施形態においては、設定された縦位置または横位置に応じて、撮像部をリセットするリセット信号の走査方向を制御している。このため、縦位置であっても横位置であっても、シャッタ速度を高速化することが容易となる。なお、露光開始にあたっては、本実施形態においては、リセット信号を走査することによって行っていたが、これに限らず、シャッタ幕を走行させるようにしても勿論かまわない。
【０１４２】
また、本実施形態においては、設定された縦位置または横位置に応じて撮像部を順次遮光する遮光部を走行させている。このため、縦位置であっても横位置であっても、シャッタ速度を高速化することが容易となる。なお、露光終了にあたっては、本実施形態においては、シャッタ幕としての機能を有する遮光部を走行させていたが、これに限らず、撮像部から画像データの読み出しを行うようにしても勿論かまわない。
【０１４３】
さらに、本実施形態においては、リセット信号の走査方向や、遮光部の走行方向は、いずれも画像データ出力領域の短辺方向に沿って行っている。このため、シャッタ速度の高速化を容易に行うことができる。
【０１４４】
さらに、本実施形態においては、縦横位置またはアスペクト比に応じて、画像データ出力領域が全開となる範囲内において、フラッシュ装置における発光指示を行うようにしている。このため、フラッシュ発光における同調秒時を高速化することができる。
【０１４５】
さらに、本実施形態においては、撮像部を順次リセットするリセット信号の走査方向と、遮光部の走行方向が同一である。このため、シャッタの高速化を容易に図ることができる。さらに、本実施形態においては、撮像部を順次リセットするのに要する時間と、撮像部を順次遮光するのに要する時間は略同一である。このため露光ムラを生ずることがない。さらに、撮像部のリセットを撮像開始直前に順次リセットし、撮像終了直前に順次遮光するようにしている。
【０１４６】
なお、本実施形態においては、設定された縦横位置やアスペクト比に係わりなく、撮像素子２２１の画像データを読み出していたが、縦横位置やアスペクト比によって決まる画像データ出力領域に対応する画像データのみを読み出すようにしても勿論かまわない。
【０１４７】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【０１４８】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１４９】
２１・・・レリーズ釦、２２・・・前ダイアル、２３・・・後ダイアル、２４・・・ボディマウント、３１・・・ＬＶ表示釦、３２・・・十字釦、３３・・・ＯＫ釦、３４・・・パワースイッチ、３５・・・メニュー釦、３６・・・再生釦、３７・・・縦横釦、３８・・・接眼部、３９・・・背面ＬＣＤ、４０・・・コントロールパネル、５０・・・内蔵フラッシュ、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、１２０・・・イメージサークル、２００・・・カメラ本体、２０１・・・可動ミラー、２０３・・・サブミラー、２０４・・・スクリーン、２０５・・・全面ＬＣＤ、２０６・・・ファインダ内表示装置、２０６ａ・・・情報表示液晶、２０６ｂ・・・情報表示液晶、２０７・・・ペンタプリズム、２０９・・・接眼レンズ、２１１・・・測光素子、２１２・・・測光処理回路、２１３・・・シャッタ、２１３ａ・・・第１遮光部、２１３ｂ・・・第２遮光部、２１３ｃ・・・開口部、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３６・・・第１遮光部駆動機構、２３６ａ・・・第１遮光部係止機構、２３６ｂ・・・第１遮光部チャージ機構、２３７・・・第２遮光部駆動機構、２３７ａ・・・第２遮光部係止機構、２３７ｂ・・・第２遮光部チャージ機構、２３９・・・ミラー駆動機構、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、・接点、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点、４５１・・・第１リセット信号発生回路、４５３・・・第２リセット信号発生回路
【図１】
2010183397.tif 000003
【図２】
2010183397.tif 000004
【図３】
2010183397.tif 000005
【図４】
2010183397.tif 000006
【図５】
2010183397.tif 000007
【図６】
2010183397.tif 000008
【図７】
2010183397.tif 000009
【図８】
2010183397.tif 000010
【図９】
2010183397.tif 000011
【図１０】
2010183397.tif 000012
【図１１】
2010183397.tif 000013
【図１２】
2010183397.tif 000014
【図１３】
2010183397.tif 000015